(57)【要約】【課題】レバー部の引き操作によるドア開放が簡単なドアハンドルを使用した安全なドアの開発をその課題とする。【解決手段】  ドア(1)は、戸先側表面に装着され、戸先側端面(2a)に対して平行に配設された支点軸(12)を有する取付プレート(13)と、支点軸(12)に揺動可能に枢着されたハンドル本体(9)及びハンドル本体(9)から吊り元(2b)側に延出されたレバー部(10)とで構成されたハンドル部(8)と、ハンドル部(8)に装着され、レバー部(10)のドア(1)から離間する方向の引き動作でラッチボルト(21)の没動作によるロック解除を行わせる作動レバー(14)とで構成されたドアハンドル装置(7a)を有する。支点軸(12)の軸方向に沿う方向に設けられたハンドル本体(9)の押し操作面(9a)とドア(1)の表面との交角(γ)は鋭角に形成されている。【選択図】図４
2011064062.tif 000002
【特許請求の範囲】
【請求項１】
ドア本体と、
前記ドア本体の戸先側に内蔵され、戸先側端面から出没してドアをドア枠に対してロック・解除するラッチボルトを有するドア錠本体と、
前記ドア本体の戸先側に装着され、前記ラッチボルトの出没動作を行わせるドアハンドル装置とで構成され、
前記ドアハンドル装置は、
戸先側表面に装着され、戸先側端面に対して平行に配設された支点軸を有する取付プレートと、
支点軸に揺動可能に枢着されたハンドル本体及び前記ハンドル本体から吊り元側に延出されたレバー部とで構成されたハンドル部と、
前記ハンドル部に装着され、前記レバー部のドアから離間する方向の引き動作で前記ラッチボルトの没動作によるロック解除を行わせる作動レバーとで構成され、
前記支点軸の軸方向に沿う方向に設けられた前記ハンドル本体の押し操作面と、ドアの表面との交角が鋭角に形成されていることを特徴とするドア。
【請求項２】
前記ハンドル本体のレバー突設面と、前記ハンドル本体の押し操作面との交角が３０°〜７０°であることを特徴とする請求項１に記載のドア。
【請求項３】
ハンドル本体の押し操作面が長手方向、又は長手方向及び支点軸の軸方向に沿う方向において外方に凸湾曲しており、該押し操作面の或る点における接線とドアの表面との交角が鋭角に形成されていることを特徴とする請求項１又は２に記載のドア。
【発明の詳細な説明】
【技術分野】
【０００１】
本発明は、開閉に違和感を生じない自然なハンドル操作ができるドアに関する。
【背景技術】
【０００２】
従来、建物の開口部等に設けられるドアの開閉を行うためのハンドルとして、開戸時にドアの開放方向と同方向にハンドル部を操作することでラッチボルトを後退させる、いわゆるプッシュプルハンドルが知られている。
【０００３】
プッシュプルハンドルは、ドアの、押圧により開く側の押圧側の面にはドアの表面に対して近接する方向（＝押圧側）に揺動するハンドル部が設けられ、また、ドアの、引くことで開放する引っ張り側の面にはドアの表面に対して離間する方向（＝引っ張り側）に揺動するハンドル部が設けられており、これらハンドル部の揺動、すなわち、「押す」或いは「引く」という操作にてラッチボルトが後退し、ドアの開放が行える構造となっている。
【０００４】
しかしながら、上記のようなプッシュプルハンドルを備えたドアは、ドアの開閉動作が急激に行われないように制御するドアクローザー等が設けられていない場合、ドアの開放操作を行う際に、特にドアを押して開放する側では、開放操作を行う者がハンドル部を勢いよく押した時にラッチボルトが急速に後退して受け座との掛合が瞬時に解除され、これによってドアが勢いよく開き、ドアを開けた人がドアと共に操作方向である前方に前のめりになったり、甚だしくは倒れこんでしまうというような恐れがあるという問題があった。
【０００５】
これを解決するものとして引用文献１のドアが知られている。このドア(1)は、図１４に示すように、ドア(1)側に設けられた進退自在なラッチボルト(51)によるドア枠(3)の係合穴(6)との係合にてドア(1)の閉鎖状態が維持され、戸当たり(5)側が押圧開放方向となるドア(1)であって、ドア(1)の戸先側に引く操作でラッチボルト(51)が後退して開錠するハンドル部(50)が設けられている。
【０００６】
このハンドル部(50)はドア(1)の戸先側に配設され、戸先側に位置する基端を軸支部(50b)とし、軸支部(50b)から吊元に向いて延出するレバー部(50a)を備え、レバー部(50a)をドア面より離間させる「引く操作」にてラッチボルト(51)が後退してドア枠(3)の係合穴(6)との係合状態を解除するようになっており、この状態でドア(1)の押圧開放側の面(1m)を押すと（または、ドア(1)の引っ張り開放側の面(1n)を引くと）ドア(1)が開く。
【０００７】
このようなドア(1)では、上記のような問題を引き起こすドア(1)の押圧開放側の面(1m)において、ラッチボルト(51)の解除を、レバー部(50a)を「引く」という操作でおこなうため、上記のように開戸操作を行う者が勢いよくハンドル操作を行った場合に、ドア(1)の急な開放と共に体勢が開放方向に勢いが付き過ぎ、操作方向である前方に前のめりとなったり、甚だしくは倒れ込んでしまうということを防止することができる。
【先行技術文献】
【特許文献】
【０００８】
【特許文献１】特開２００４−３１８７号公報（図５）
【発明の概要】
【発明が解決しようとする課題】
【０００９】
しかしながら、このようなハンドル部(50)は、レバー部(50a)のみの操作によりドア(1)を開放することになるので、図１４〜図１６に示すようにドア(1)を開放する際には、指先が触れるレバー部(50a)の操作面(50c)に加える力(F)をレバー部(50a)の回転及びこれに続くドア(1)の回転に合わせて方向を変えつつ加え続ける必要があり（換言すれば、指先の操作ポイントを中心としてドア(1)と平行な仮想面(S)とレバー部(50a)の操作面(50c)とのなす角度(α)の間の方向(Q)に向かって力を加え続け、且つ、操作している同じ指先で力を加える方向をドア(1)の開き方向への移動と共に変えていかなければならず）、操作に慣れるまでは使いにくいものであった。
【００１０】
本発明は、このような問題点を解決すべくなされたもので、レバー部の引き操作によるドア開放が簡単なドアハンドルを使用した安全なドアの開発をその課題とするものである。
【課題を解決するための手段】
【００１１】
請求項１に記載した発明（図５）は、
ドア本体(1a)と、
ドア本体(1a)の戸先側に内蔵され、戸先側端面(2a)から出没してドア(1)をドア枠(3)に対してロック・解除するラッチボルト(21)を有するドア錠本体(20)と、
ドア本体(1a)の戸先側に装着され、ラッチボルト(21)の出没動作を行わせるドアハンドル装置(7a)とで構成され、
ドアハンドル装置(7a)は、
戸先側表面に装着され、戸先側端面(2a)に対して平行に配設された支点軸(12)を有する取付プレート(13)と、
支点軸(12)に揺動可能に枢着されたハンドル本体(9)及びハンドル本体(9)から吊り元(2b)側に延出されたレバー部(10)とで構成されたハンドル部(8)と、
ハンドル部(8)に装着され、レバー部(10)のドア(1)から離間する方向の引き動作でラッチボルト(21)の没動作によるロック解除を行わせる作動レバー(14)とで構成され、
支点軸(12)の軸方向に沿う方向に設けられたハンドル本体(9)の押し操作面(9a)とドア(1)の表面との交角(γ)が鋭角に形成されていることを特徴とするドア(1)である。
【００１２】
請求項２に記載した発明（図４）は、ハンドル本体(9)の押し操作面(9a)を更に限定したもので、ハンドル本体(9)のレバー突設面(9b)と、ハンドル本体(9)の押し操作面(9a)との交角(δ)が３０°〜７０°であることを特徴とする。
【００１３】
請求項１又は２に従属する請求項３に記載した発明は、ハンドル本体(9)の押し操作面(9a)が長手方向、又は長手方向及び支点軸の軸方向に沿う方向において外方に凸湾曲しており、該押し操作面(9a)の或る点(W)における接線(T)とドア(1)の表面との交角(γ)が鋭角に形成されていることを特徴とする。ここで、ドアハンドル装置(7)には押圧開放側と引っ張り開放側とがあるが、押圧開放側を(7a)で表す。
【００１４】
ここで、支点軸(12)の軸方向に沿う方向に設けられたハンドル本体(9)の押し操作面(9a)であるが、図４，５の実施例１、図７〜９の実施例２、３では、ハンドル本体(9)は取付プレート(13)側が開口した袋状のもので、略三角形状の外壁(9g)、レバー部(10)が突設されるレバー突設面(9b)（図４，５の第１実施例では平面、図７〜９の第２、３実施例では、ハンドル本体(9)の開口縁(9c)のレバー部側端部における、開口縁(9c)に対して直角に形成した仮想面(M)である。）及びレバー部(10)を握った時に親指が掛かる、ドア(1)に向かって下り傾斜に形成されている押し操作面(9a)とで構成される。そして、これらの面の内、押し操作面(9a)のみが図１２、１３に矢印で示すように軸方向に沿う方向に設けられている。なお、押し操作面(9a)は前述のように他の面との関係において軸方向に沿う方向の面と規定されているだけで、面の形状を規定していないので、当初明細書の記載全体から明らかなように(a)全体が平坦な面、(b)長手方向に沿って緩く凸湾曲した円筒の一部を切り取ったような曲面、或いは(c)長手方向及び軸方向に緩く凸湾曲した球面が含まれ、これを明確な形にするために第２、３実施例を追加した。
【００１５】
押し操作面(9a)とドア(1)の表面との交角(γ)を規定する直線は、押し操作面(9a)が前記(a)のように平坦な面である場合には押し操作面(9a)に沿う直線(R)となるが、押し操作面(9a)が前記(b)又は(c)の場合、該直線は押し操作面(9a)を構成する面（押し操作面(9a)に凹凸がある場合には、これらは押し操作面(9a)に含まれない。）の押し操作面(9a)を構成するいずれかの点(W)のレバー部(10)方向に引いた接線(T)である。押し操作面(9a)は、前述のように、いずれの場合でもレバー部(10)を握った時に親指が掛かる面で、先端に行くほどドア(1)の表面に近づくように下り傾斜に掲載されている面である。
【００１６】
なお、第２、３実施例における押し操作面(9a)とレバー部(10)との境界は、押し操作面(9a)が親指の接触部位であるから、第１実施例から勘案してハンドル本体(9)の開口縁(9c)のレバー部側端部における、開口縁(9c)に対して直角に形成した仮想面(M)ということになる。ハンドル部(8)にその交線(m)を示す。
【発明の効果】
【００１７】
請求項１に記載のドアハンドル装置(7a)のハンドル部(8)によれば、支点軸(12)の軸方向に沿う方向に設けられ、レバー部(10)を握った時に親指が掛かる面であるハンドル本体(9)の押し操作面(9a)とドア(1)の表面との交角(γ)が鋭角に形成されているので、換言すればレバー部(10)を握った時に親指が掛かる面で、先端に行くほどドア(1)の表面に近づくように下り傾斜に形成されているので、図５に示すようにレバー部(10)に親指以外の４本を引っかけて握り、且つ、親指をハンドル本体(9)の押し操作面(9a)上に載せてレバー部(10)をドア面より離間させる「引く操作」と共に親指でハンドル本体(9)を押すと、ハンドル部(8)が支点軸(12)の回りに回動して作動レバー(14)によりラッチボルト(21)がドア枠(3)から離脱してドア(1)が解除される。
【００１８】
この時、親指のハンドル本体(9)に対する押し動作でドア(1)が自然にドア(1)を開くことが出来て開戸操作がし易く、従来のようにハンドル操作によってはラッチボルト(21)の係合が急に解除されると同時にドア(1)の急開放と共に操作者の体勢に勢いが付いて操作方向である前方に前のめりになったり、倒れこんでしまったりするということを防ぐことができる。
【００１９】
請求項２に記載した発明のように、ハンドル本体(9)のレバー突設面(9b)とハンドル本体(9)の押し操作面(9a)との交角(δ)を３０°〜７０°とすることで、指を握った状態で親指を突き出した時、握った拳の人差し指と突出した親指との角度が３０°〜７０°であって、４本の指でレバー部(10)を握り、親指を突き出してハンドル本体(9)の押し操作面(9a)上に当てがった時の角度とが一致して、自然な状態で親指をハンドル本体(9)の押し操作面(9a)上に当てがうことが出来、握り易く且つハンドル操作も容易であり、スムーズにドア(1)の開閉を行うことができる。
【００２０】
請求項３に記載の発明は、請求項１に含まれる実施例のうちの２及び３を更に明確にしたもので、押し操作面(9a)が前記(b)(c)のように緩い曲面或いは球面の一部のような場合であり、このような場合は押し操作面(9a)の或る点(W)における接線(T)とドア(1)の表面との交角(γ)が鋭角な場合である。この場合もレバー部(10)を握った時に親指が掛かる押し操作面(9a)は、先端に行くほどドア(1)の表面に近づくように下り傾斜に形成されている。
【図面の簡単な説明】
【００２１】
【図１】本発明の第１実施例を示す平断面図である。
【図２】図１のドアハンドル部分の一部切欠拡大正面図である。
【図３】図２のＡ−Ａ断面図である。
【図４】図２のＢ−Ｂ断面図である。
【図５】図４におけるレバー部を引っ張った状態を示す同断面図である。
【図６】図４のＣ−Ｃ断面図である。
【図７】本発明の第２、３実施例を示す断面図である。
【図８】(a)  図７の図中下側の第２実施例の分解斜視図、(b)(c)  同図の部分断面図である。
【図９】図７の図中上側の第３実施例の分解斜視図である。
【図１０】本発明に使用されたドア錠のロック状態の内部構造を示す正面図である。
【図１１】図１０の解除状態示す正面図である。
【図１２】本発明のハンドル部の１実施例の斜視図である。
【図１３】本発明のハンドル部の他の実施例の斜視図である。
【図１４】従来例の閉戸状態の平断面図である。
【図１５】従来例のドアハンドル操作時の平断面図である。
【図１６】従来例のドアハンドル操作による開戸時の平断面図である。
【発明を実施するための最良の形態】
【００２２】
以下、本発明を図示実施例に従い説明する。ドア(1)は、開口部(K)に固定されたドア枠(3)に丁番等の支持金具(4)を介して蝶着されている。ドア(1)の戸先側には戸先側端面(2a)から出没してドア(1)をドア枠(3)に対してロック・解除するラッチボルト(21)を有するドア錠本体(20)が内蔵されており、ドア(1)が開口部(K)を閉鎖している際、ラッチボルト(21)が戸先側端面(2a)から突出した状態で、ドア枠(3)に設けられた係合穴(6)に嵌入し、ドア(1)を閉鎖状態に保つ。
【００２３】
ドア錠本体(20)の錠機構は、ドア(1)の両面に装着されたドアハンドル装置(7)のそれぞれ操作により係合状態が解除されるものであれば、特に限定されるものではないが、例えば、図１０〜図１１のようなものを用いることができる。
【００２４】
ドア(1)の両面には、図１に示すように同じドアハンドル装置(7)が装着されているが、ここではドア(1)の押圧開放側が問題となっているので、ドア(1)の押圧開放側のドアハンドル装置(7a)、即ち、図４〜６に示す第１実施例のものを中心に説明する。図７は第１実施例と構造が若干相違する第２、３実施例で、作図の便宜上、図において上下が異なるドアハンドル装置(7)が装着されているように記載されている。上側のドアハンドル装置(7)も機能的には下側と同じ機能を持つので、図では引き込み側に装着されているが、押し込み側に利用できる。勿論、図において、上下同じもの或いは図のように構造は違うが機能上同じ作用を持つものを取り付けることは自由である。
【００２５】
ドア錠本体(20)のケーシング(28)は、ドア(1)の戸先側端面(2a)に開口する凹所内に嵌め込まれており、ケーシング(28)の取付プレート(29)が戸先側端面(2a)に取り付けられている。取付プレート(29)には、ラッチボルト(21)の突出没入用のラッチ用通孔(29a)が穿設されており、このラッチ用通孔(29a)に合わせてラッチボルト(21)が収納される収納穴(24a)が設けられているラッチホールド部(24)がケーシング(28)内にて取付プレート(29)に接して設けられている。
【００２６】
更に、ラッチホールド部(24)には、収納穴(24a)に連通するガイド孔(24b)が穿設され、ラッチボルト(21)の係合穴(6)との係脱に係わるラッチヘッド(21a)から突出している首部(21b)がスライド可能に挿入されている。
【００２７】
そして、前記首部(21b)から後述する揺動アーム(22)に首振り可能に係合する細い係合吊り部(21c)が突設され、収納穴(24a)内にはラッチボルト(21)を突出方向に押圧付勢するラッチバネ(25)が収納されている。
【００２８】
ラッチボルト(21)の背後には、回動軸(22a)にて揺動可能に吊り下げられた揺動アーム(22)が設けられており、その下端部に設けられた係合部(22b)にラッチボルト(21)の係合吊り部(21c)が首振り可能、例えば係合吊り部(21c)に設けられた係合吊り部(21c)より太径の頭部(21d)が係合部(22b)に設けられた通孔(22h)に挿通され、揺動アーム(22)の揺動に合わせて係合しつつ首を振り、ラッチボルト(21)の直線的移動を可能にしている。
【００２９】
そして、揺動アーム(22)の側面から斜め上後方（図７中、右上側）に向かって伸びている延出部(22d)には、後述する作動部(23)の係合作動部(23b)が係合する揺動被係合部(22c)が延出部(22d)に垂直に設けられている。
【００３０】
ケーシング(28)の奥部下側には、作動部(23)が配置されており、作動部(23)の上端部分である係合作動部(23b)は、前記揺動アーム(22)の揺動被係合部(22c)に戸先側から係合しており、作動部(23)の下端に設けられたバネ受け部(23a)とケーシング(28)との間に作動部(23)を戸先側に押圧付勢する作動バネ(30)が設けられている。
【００３１】
そして、作動部(23)の中央には、作動窓(27)が穿設されており、後述する両ドアハンドル装置(7)の作動レバー(14)の先端部分である作動爪(14b)がそれぞれ挿入されるようになっている。また、ケーシング(28)にも作動窓(27)に合わせて作動レバー挿入用通孔(26)が穿設されている（図４、１０、１１参照）。
【００３２】
押圧開放側のドアハンドル装置(7a)は、図１〜図６（第１実施例）に示すように、取付プレート(13)と、ハンドル部(8)と、作動レバー(14)とで構成されている。
【００３３】
取付プレート(13)は、ドア(1)の表面に埋め込まれて使用されるトレー状のもので、その戸先側寄りの中央部分（即ち、本体部分(13e)のレバー突設面(9b)側の端部）に一対の軸受アーム(13a)が突設されており、軸受アーム(13a)間に支点軸(12)が架設されている。
【００３４】
そして、軸受アーム(13a)を境にして吊り元側には指収め凹部(13b)が凹設され、戸先側の本体部分(13e)には、作動部レバー収納用凹所(13c)が形成されている。前記作動部レバー収納用凹所(13c)には、ケーシング(28)に設けられた作動部レバー挿入用通孔(26)に合わせて貫通窓(13d)が設けられている。
【００３５】
指収め凹部(13b)は、図３に示すようにハンドル部(8)のレバー部(10)を略中心に半月状の掘り込みが形成され、その長さは、図４に示すようにレバー部(10)に合わせて掘り込まれている。指収め凹部(13b)が設けられていることにより、レバー部(10)を第２指から第５指で握った際に、第２指から第５指を指収め凹部(13b)に収めることができ、レバー部(10)の突出寸法(H)を小さくすることができる。このように、レバー部(10)の突出寸法(H)を小さくすることで、レバー部(10)に服が引っ掛かったり、身体がぶつかったりすることを少なくすることができる。
【００３６】
更に、指収め凹部(13b)の形状を前述の図３のように半月状にすると、レバー部(10)に向かい合う付近が最も深くなるので、第２指から第５指で棒状のレバー部(10)を握った際の指の形状（こぶしの形状）が曲面状となることと相俟って、レバー部(10)が第２指から第５指で握って操作するものであることが直感的にわかりやすい。
【００３７】
第１実施例に示すハンドル部(8)は、図１２〜図１３に示すように、その戸先側寄り中央部分から戸先側にかけて袋状となった、ドア側に開口するハンドル本体(9)（これは前述のように、略三角形状の外壁(9g)、レバー部(10)が突設されるレバー突設面(9b)及びレバー部(10)を握った時に親指が掛かる押し操作面(9a)とで構成される。）と、ハンドル本体(9)の後端面であるレバー突設面(9b)から突設されたレバー部(10)とで構成されており、ハンドル本体(9)内に設けられた軸受アーム(13a)にて支点軸(12)に揺動可能に取り付けられている。
【００３８】
そして、レバー部(10)を４本の指で握った時、残る親指がハンドル本体(9)の側面、即ち、支点軸(12)の軸方向に沿う方向（図１２、１３の矢印方向）に設けられた面（この面に付いては後述する。）の上に乗ることになり、この面が親指によるハンドル本体(9)の押し操作面(9a)となる。
【００３９】
前記押し操作面(9a)であるが、(a) 押し操作面(9a)全体が平坦面で構成されている場合（これに限られないが、例えば図５参照）、(b) 押し操作面(9a)の支点軸(12)の軸方向に沿う方向が直線状で、これに直角な長手方向が緩く外側に凸円弧となっている場合（これに限られないが、例えば図１２、１３参照）、(c) 押し操作面(9a)全体が緩く外側に膨れた凸球面状となっている場合（これに限られないが、例えば図８、９参照）があり、(b)(c)の場合における(γ)は、押し操作面(9a)のいずれかの点(W)（後述するように該表面に形成された不規則な凹凸や窪み内の点は含まず。）から引いた接線(T)との角度ということになる。従って、いずれの場合もハンドル本体(9)の傾斜角度(γ)（＝ハンドル本体(9)の押し操作面(9a)とドア(1)の表面との角度）は、ラッチボルト(21)の係合状態が解除されたときに（従って、当然解除される前も）鋭角を保つように設定されている。換言すればレバー部(10)を握った時に親指が掛かる面で、先端に行くほどドア(1)の表面に近づくように下り傾斜に形成されている。
【００４０】
このように設定されることにより、ラッチボルト(21)の係合が解除された状態で親指で押し操作面(9a)を押しやすく、ハンドル本体(9)の押し操作面(9a)を親指で押すことによりドアを開放できる。
【００４１】
この場合、ハンドル本体(9)の押し操作面(9a)には、例えば、図１２のように複数の凸条(15)又は横溝を設けたり、図１３のように親指が嵌まり込む窪み(16)を設けてもよい。（ただし、凸条(15)又は横溝、窪み(16)のような部分は当然、押し操作面(9a)に含まれず、同部分に於ける押し操作面(9a)はハンドル本体(9)の外側面に沿った「仮想面」ということになる。）このようなものが設けられていると、ドア(1)を押し開ける際に、ハンドル本体(9)の押し操作面(9a)を親指で押す操作が必要であることが、はじめて操作する場合であっても、直感的にわかりやすいし、前記凸条(15)等は滑り止めとしても働くため、親指で押し操作面(9a)の押す動作を行い易くすることができる。
【００４２】
レバー部(10)において、前記レバー突設面(9b)はハンドル本体(9)の開口縁(9c)に対して略直角に形成されており、このレバー突設面(9b)とハンドル本体(9)の押し操作面(9a)とのなす角度(δ)は７０°〜３０°であることが望ましい。このような角度範囲であれば、個人差はあるものの手を開いた際に親指と第２指とが自然に成す角度（＝意図的に広げたり、狭めたりしていない角度）に近く、棒状のレバー部(10)を第２指から第５指で握った際に、自然と親指がハンドル本体(9)の押し操作面(9a)に添うようになるため、押し操作がし易くなる。
【００４３】
前記レバー突設面(9b)は、レバー部(10)を握った状態で第２指の第１指側の側部を添えることができる側面操作面としての機能を備えている。側面操作面としての機能によりドアを開放する際に、第２指の親指側の側部で側面操作面であるレバー突設面(9b)をドア開放方向に力を加えることができる。
【００４４】
なお、未操作時（図４の状態）において、ドア(1)の表面と側面操作面であるレバー突設面(9b)のなす角度(β)は直角に近い鈍角であることが望ましい。角度(β)が直角に近い鈍角であると、第２指の親指側の側部が側面操作面であるレバー突設面(9b)に触れやすく、ドア(1)を開放する方向に力を加えやすい。
【００４５】
またハンドル本体(9)の押し操作面(9a)と、レバー部(10)の外側面の延長線上にある交点Ｐにおける支点軸(12)側の交角(ε)は、１８０°に近い鈍角に形成される。前記押し操作面(9a)やハンドル本体(9)の外側面の全体が外方に緩くカーブしている場合は、前述の角度(ε)は、押し操作面(9a)や外側面の各点(W)における接線(T)との角度と言うことになる。
【００４６】
ハンドル本体(9)内部には、作動レバー(14)を保持する保持アーム部(18a)(18b)が前後一対設置されている。作動レバー(14)はＬ型のプレートで、レバー本体(14a)の基端(14k)が支点軸(12)に回動可能に支持され、レバー本体(14a)の中央と先端がピン(17a)(17b)にて保持アーム部(18a)(18b)に取り付けられ、その作動爪(14b)がハンドル本体(9)から突出して作動部(23)の作動窓(27)に挿入されている。
【００４７】
本実施例におけるレバー部(10)の全体形状は、図４に示すように緩く外側にカーブしてドア(1)に向って近づき、レバー端部がドア表面に取り付けられた取付プレート(13)に近接するような形状、或いはこの他に指で引っ掛けて握ることができるものであれば、ドア面とほぼ平行に伸びたもの等であってもよい。
【００４８】
図４のようにドア(1)に向って近づき、レバー端部が取付プレート(13)に近接する形状の場合、開閉操作をしない時に加えて、操作時においても、レバー部(10)のレバー端部が操作者側に突出することがなく、レバー端部に服の引っ掛かりや身体がぶつかることを少なくすることができる。
【００４９】
また、レバー部(10)は、第２指から第５指で握ることができる棒状であり、その断面は円状、多角形状等、特に限定されるものではないが、指の腹が触れる側（取付プレート(13)と対向する側）の面が曲面である形状が好ましい。この面が曲面であると、握るために曲げた指の形状に合うため感触がよい。
【００５０】
しかして、閉じたドア(1)を押圧開放面側(1m)から開く場合、図５に示すように、親指以外の４本の指をドアハンドル装置(7)のレバー部(10)に引っかけて握り、親指をハンドル本体(9)の押し操作面(9a)に当てがい、握った４本の指でレバー部(10)を引っ張ると同時にハンドル本体(9)の押し操作面(9a)を親指で押す。すると、ハンドル部(8)が支点軸(12)の回りに回動し、この動きに合わせて作動レバー(14)が作動部(23)を引っ掛け、作動バネ(30)を押し縮めるように後退する（図１０、１１参照）。
【００５１】
そして、この後退により揺動アーム(22)が後方に回動して揺動アーム(22)の下端部に設けられた係合部(22b)がラッチボルト(21)の頭部(21d)を引っ張ってラッチボルト(21)を直線的後退させる。これにより、ラッチボルト(21)がドア枠(3)から離脱してドア(1)が解除される。
【００５２】
この時、前述のようにハンドル本体(9)の押し操作面(9a)とドア(1)の表面との交角(γ)が鋭角に形成されているので、親指のハンドル本体(9)に対する押し動作でドア(1)が自然にドア(1)を開くことが出来、開戸操作がし易く、従来のような操作時の前のめりや倒れ込みのようなことはない。
【００５３】
また、第１実施例ではハンドル本体(9)のレバー突設面(9b)と、ハンドル本体(9)の押し操作面(9a)との交角(δ)が３０°〜７０°であるため、レバー部(10)を握ると自然に親指が押し操作面(9a)上に来ることになり、直感的に操作方法を理解できる。
【００５４】
ドア(1)を開いた後、手をハンドル部(8)から離すとラッチバネ(25)及び作動バネ(30)の弾発力によりラッチボルト(21)は突出し、ハンドル部(8)はドア(1)側に回動して元に戻る。
【００５５】
次に、本発明の第２、３実施例を図７〜９に従って説明する。なお、第１実施例との比較でその一部は既に説明した。この場合は第１実施例と異なり指収め凹部(13b)を設けず、ハンドル部(8)の内側がレバー部(10)を握ったときの人差し指の側面に合わせた円弧状に形成され（勿論、同部分が直線状であってもよい。）、取付プレート(13)は指収め凹部(13b)がなく、浅い皿状で作動部レバー収納用凹所(13c)が形成されている本体部分(13e)だけで構成されている。勿論、指収め凹部(13b)を設けるようにしてもよい。
【００５６】
取付プレート(13)の作動部レバー収納用凹所(13c)の開口形状はハンドル本体(9)の開口縁(9c)全体が嵌り込む大きさであって、底部から一対の軸受アーム(13a)が突設され、この軸受アーム(13a)間に第１実施例と同様支点軸(12)が架設されている。そして同様にこの支点軸(12)に作動レバー(14)の基端(14k)の支点孔(14j)が嵌り込んで回動可能に支持されている。
【００５７】
第２実施例では、作動レバー(14)の支持は第１実施例と同様レバー本体(14a)の中央と先端の形成された通孔(14h)(14h)へのピン(17a)(17b)の挿通にて取り付けられるようになっているが、該ピン(17a)(17b)の両端は第１実施例の保持アーム部(18a)(18b)に相当する一対の保持アーム用穴(18c)(18d)(18e)(18f)に取り付けられてハンドル部(8)と一体化し、その作動爪(14b)がハンドル本体(9)から突出して揺動アーム(22)の作動窓(27)に挿入されている。
【００５８】
ここで、前記ピン(17a)(17b)の支持構造は機能的には同じものであるが、第１実施例と異なっているので、この点を図７の下側の図と図８の記載に従って簡単に説明する。第２実施例において、ハンドル本体(9)の一方の側面が略三角形状に切り欠かれ、この切欠部(9d)に同形状で既知の嵌め殺し構造の蓋部(9e)が取り付けられるようになっている。
【００５９】
この蓋部(9e)の内側面とこの内側面に対向するハンドル本体(9)の内側面に前記ピン(17a)(17b)の保持用の保持アーム用穴(18c)(18d)(18e)(18f)が凹設されている。なお、レバー本体(14a)の両側には少なくとも支点軸(12)に挿通されて隙間調整を行うカラー(14i)が第１実施例と同様取り付けられている。勿論、カラー(14i)はレバー本体(14a)の両側に一体的に構成されていてもよい。
【００６０】
この部分の組み立て方としては、作動レバー(14)の作動爪(14b)を取付プレート(13)の貫通窓(13d)に挿通させた状態で作動レバー(14)の基端(14k)を一対の軸受アーム(13a)の間に配置し、支点軸(12)を挿通して回動可能に支持する。基端(14k)の両側には支点軸(12)に挿通されたガタ防止のカラー(14i)が配置されることになる。この状態でハンドル本体(9)内にレバー本体(14a)部分とこれを支持する一対の軸受アーム(13a)が収納され、続いて通孔(14h)(14h)にピン(17a)(17b)が相通される。この場合、ガタ防止のスペーサ(14m)を利用することも出来る。相通されたピン(17a)(17b)の挿入端はハンドル本体(9)の内面側の保持アーム用穴(18c)(18d)に挿入支持される。この状態で蓋部(9e)の保持アーム用穴(18e)(18f)にピン(17a)(17b)の自由端を挿入支持すると共にこの切欠部(9d)に嵌め込んで嵌め殺し固定する。これにより、ピン(17a)(17b)を介して作動レバー(14)とハンドル本体(9)とは一体になり、支点軸(12)を中心にハンドル部(8)が往復回動するようになる。
【００６１】
第３実施例は、ピン(17a)(17b)の代わりにハンドル本体(9)の押し操作面(9a)の凹所（9h）に設けた複数の通孔(9f)を介してレバー本体(14a)の背に折曲形成された固定片部(14e)のネジ孔(14f)にネジ(19)を螺着する構造となっている。凹所(9h)は第２実施例同様、嵌め殺し構造の蓋部(9j)で覆われることになる。
【００６２】
組み立て方法は、第２実施例と同様、取付プレート(13)に作動レバー(14)を取り付けた後、ネジ(19)による組み付けが行われる。なお、これら第２、３実施例の作用自体は第１実施例と全く同じである。
【符号の説明】
【００６３】
(1)  ドア
(1a)  ドア本体
(2a)  戸先側端面
(2b)  吊り元
(3)  ドア枠
(7)(7a)  ドアハンドル装置
(8)  ハンドル部
(9)  ハンドル本体
(9a)  押し操作面
(10)  レバー部
(12)  支点軸
(13)  取付プレート
(14)  作動レバー
(20)  ドア錠本体
(21)  ラッチボルト
(γ)  交角
(δ)  交角
【図１】
2011064062.tif 000003
【図２】
2011064062.tif 000004
【図３】
2011064062.tif 000005
【図４】
2011064062.tif 000006
【図５】
2011064062.tif 000007
【図６】
2011064062.tif 000008
【図７】
2011064062.tif 000009
【図８】
2011064062.tif 000010
【図９】
2011064062.tif 000011
【図１０】
2011064062.tif 000012
【図１１】
2011064062.tif 000013
【図１２】
2011064062.tif 000014
【図１３】
2011064062.tif 000015
【図１４】
2011064062.tif 000016
【図１５】
2011064062.tif 000017
【図１６】
2011064062.tif 000018